(57)【要約】【課題】蓋本体部を容易に開けることができ、使い易い振り出し容器用キャップを提供することを目的とする。【解決手段】キャップ本体４の天板部４１の表面に凹部４３が形成され、この凹部４３の一端側に、振り出し口４７が配設されるとともに蓋本体部５１が収容され、蓋体５には、キャップ本体４の側面に開口した凹部４３の他端側に収容され、凹部４３に沿って進退移動可能な押圧部５２と、蓋本体部５１と押圧部５２との間に介設され凹部４３の進退移動に従って弾性変形可能な弾性部５３と、を備えた蓋体５が収容され、押圧部５２には、凹部４３の一方側に向けて延びた延在部５２ｄが設けられ、延在部５２ｄには、蓋本体部５１に当接する当接部５２ｆが形成され、当接部５２ｆ、及び蓋本体部５１の被当接部５１ｅのうちの少なくとも一方は、凹部４３の一端側へ向うに従いキャップ軸方向の容器本体２側へ向けて傾斜した傾斜面となっている。【選択図】図４
2008273583.tif 000002
【特許請求の範囲】
【請求項１】
容器本体の口部に取り付けられ、前記容器本体内の内容物を振り出すための振り出し口が設けられた筒形状のキャップ本体と、
該キャップ本体の天板部に取り付けられた蓋体と、
を備え、
前記蓋体に備えられた蓋本体部が、キャップ軸の垂直面に沿って延在する回転軸周りに回転可能に設けられ、前記振り出し口を開閉する振り出し容器用キャップであって、
前記天板部の表面には、キャップ径方向のうち前記回転軸に直交する方向に沿って延在し、前記蓋体が収容される凹部が形成され、
該凹部内の一端側には、前記振り出し口が配設されるとともに、前記蓋本体部が収容され、
前記蓋体には、       
前記キャップ本体の側面に開口した前記凹部の他端側に収容され、前記凹部に沿って進退移動可能な押圧部と、
前記蓋本体部と前記押圧部との間に介設され、前記進退移動に従って弾性変形可能な弾性部と、
が備えられ、
前記押圧部には、前記凹部の一端側に向けて延びた延在部が設けられ、該延在部には、前記蓋本体部に当接する当接部が形成され、
該当接部、及び該当接部が当接する前記蓋本体部の被当接部のうちの少なくとも一方は、前記凹部の一端側へ向うに従いキャップ軸方向の容器本体側へ向けて傾斜した傾斜面となっていることを特徴とする振り出し容器用キャップ。
【請求項２】
請求項１記載の振り出し容器用キャップにおいて、
前記弾性部は、前記蓋本体部における前記回転軸よりもキャップ軸方向の容器本体側の部分に連結されていることを特徴とする振り出し容器用キャップ。
【請求項３】
請求項１または２記載の振り出し容器用キャップにおいて、
前記キャップ本体には、前記凹部の他端側の部分に被せるカバーが取り付けられていることを特徴とする振り出し容器用キャップ。
【発明の詳細な説明】
【技術分野】
【０００１】
本発明は、容器本体の口部に取り付けられるキャップであって、振る動作によって容器本体内の内容物を外に出す振り出し容器に用いられる振り出し容器用キャップに関する。
【背景技術】
【０００２】
従来より、粉状或いは顆粒状の内容物を収容する容器として振り出し容器がある。振り出し容器は、容器本体の口部に取り付けられたキャップに、複数の貫通穴からなる振り出し口が設けられた構成となっている。このような振り出し容器では、容器を下向き或いは横向きにした状態で繰り返し振ることで、振り出し口から容器内の内容物が振り出される。
【０００３】
また、振り出し容器用のキャップには、振り出し口を塞ぐための蓋体が取り付けられているものが多い。蓋体としては、キャップ本体に対して回転可能に取り付けられた蓋本体部と、蓋本体部の端部に連結された押圧部と、からなるものがある。この押圧部の中間部にはヒンジ部が設けられ、押圧部はく字状に屈曲可能な構成となっている。このような蓋体では、指等で押圧部をキャップ径方向内側へ押圧すると、押圧部がヒンジ部により屈曲され、これに連動して蓋本体部が回転して上方に開かれる。これにより、開閉する際の操作性が向上し、片手で容器を持ったまま蓋本体部を開閉させることができる（例えば、特許文献１参照。）。
【特許文献１】実公平７−５４１１９号公報
【発明の開示】
【発明が解決しようとする課題】
【０００４】
しかしながら、上記蓋体を備える従来の振り出し容器用キャップでは、蓋本体部を開ける際に、押圧部を押圧してもその押圧方向又は／及び押圧した箇所によっては、押圧部が屈曲されず、蓋本体部が開かない場合がある。つまり、蓋本体部を開ける際、押圧部における特定箇所を限定した方向へ押圧する必要があり、使い難いという問題がある。
【０００５】
本発明は、上記した従来の問題が考慮されたものであり、蓋本体部を容易に開けることができ、使い易い振り出し容器用キャップを提供することを目的としている。
【課題を解決するための手段】
【０００６】
本発明に係る振り出し容器用キャップは、容器本体の口部に取り付けられ、前記容器本体内の内容物を振り出すための振り出し口が設けられた筒形状のキャップ本体と、該キャップ本体の天板部に取り付けられた蓋体と、を備え、前記蓋体に備えられた蓋本体部が、キャップ軸の垂直面に沿って延在する回転軸周りに回転可能に設けられ、前記振り出し口を開閉する振り出し容器用キャップであって、前記天板部の表面には、キャップ径方向のうち前記回転軸に直交する方向に沿って延在し、前記蓋体が収容される凹部が形成され、該凹部内の一端側には、前記振り出し口が配設されるとともに、前記蓋本体部が収容され、前記蓋体には、前記キャップ本体の側面に開口した前記凹部の他端側に収容され、前記凹部に沿って進退移動可能な押圧部と、前記蓋本体部と前記押圧部との間に介設され、前記進退移動に従って弾性変形可能な弾性部と、が備えられ、前記押圧部には、前記凹部の一端側に向けて延びた延在部が設けられ、該延在部には、前記蓋本体部に当接する当接部が形成され、該当接部、及び該当接部が当接する前記蓋本体部の被当接部のうちの少なくとも一方は、前記凹部の一端側へ向うに従いキャップ軸方向の容器本体側へ向けて傾斜した傾斜面となっていることを特徴としている。
【０００７】
このような特徴により、蓋本体部が閉じられた状態で、押圧部をキャップ径方向内側へ向けて押圧すると、弾性部が弾性変形しながら押圧部は凹部に沿って蓋本体部に近接する方向へ移動する。これにより、押圧部の延在部に形成された当接部が、蓋本体部に形成された被当接部を押圧する。このとき、当接部および被当接部のうちの少なくとも一方が傾斜面であるため、その傾斜面上を当接部又は被当接部が摺動するのに伴い、閉じられた状態の蓋本体部が摺り上げられる。その結果、蓋本体部が開けられる。上述のように蓋体を開閉するときに、押圧部が、キャップ軸方向にぐらつくことなく、凹部に沿って移動される。
【０００８】
また、本発明に係る振り出し容器用キャップは、前記弾性部が、前記蓋本体部における前記回転軸よりもキャップ軸方向の容器本体側の部分に連結されていることが好ましい。
【０００９】
これにより、上述したように蓋本体部の回動操作において、弾性部の弾性付勢力により、蓋本体部が開位置方向へ回転軸周りに回転して開けられる。
【００１０】
また、本発明に係る振り出し容器用キャップは、前記キャップ本体に、前記凹部の他端側の部分に被せるカバーが取り付けられることが好ましい。
【００１１】
これにより、カバーが凹部を覆うことになる。従って、カバーによって蓋体が凹部の内側から抜け出ることが防止されるとともに、外観に優れたものとすることができる。また、カバーによって押圧部の上方が塞がれることで、押圧部のうちの凹部他端側の端面だけが露出されることになるので、押圧方向を明確にすることができ、押圧部が正確な方向へ確実に押圧される。
【発明の効果】
【００１２】
本発明に係る振り出し容器用キャップによれば、押圧部をキャップ径方向内側へ押圧すると、押圧部は凹部によってガイドされるため、蓋本体部を容易に開けることができ、使い易さを向上させることができる。
【発明を実施するための最良の形態】
【００１３】
以下、本発明に係る振り出し容器用キャップの実施の形態について、図面に基いて説明する。
【００１４】
図１〜図３は振り出し容器用キャップ１の斜視図であり、図４は振り出し容器用キャップ１の分解斜視図であり、図５は振り出し容器用キャップ１の平面図であり、図６は図５に示すＡ−Ａ間の断面図である。
なお、以下に説明する実施の形態では、振り出し容器用キャップ１からみてキャップ軸Ｏの容器本体２側（図６における下側）を「下方」とし、その反対側（図６における上側）を「上方」とする。また、後述する回転軸５０の延在方向（図５における縦方向）を「左右方向」とする。さらに、キャップ軸Ｏの垂直面において回転軸５０の延在方向に直交する方向（図５における横方向）を「前後方向」とし、振り出し口４７側（図５における左側）を前面側とし、その反対側（図５における右側）を後面側とする。
【００１５】
図１〜図６に示すように、振り出し容器用キャップ１は、粉状或いは顆粒状の内容物を収容する容器本体２に装着されるキャップであり、容器本体２の円筒形状の口部２０に被せるように取り付けられる略円筒形状のキャップ本体４と、キャップ本体４の天板部４１に取り付けられた蓋体５と、蓋体５を閉位置（図１、図２に示す位置）に保持する係止手段６と、キャップ本体４に設けられたカバー７と、から構成されている。
上記した容器本体２の口部２０は、その下の胴部２１よりも小径になっており、キャップ本体４の外周面と容器本体２の胴部２１外周面とは略面一になっている。
【００１６】
［キャップ本体］
キャップ本体４は、例えば合成樹脂などからなる部材であって、天板部４１と、天板部４１の外周縁に垂設された外筒部４０と、天板部４１の裏面に垂設された内筒部４２とを備えた構成からなる。
【００１７】
外筒部４０の内周面には、雌ネジ部４０ａが形成されている。この雌ネジ部４０ａが容器本体２の口部２０に形成された雄ネジ部２０ａに螺着することによって、振り出し容器用キャップ１が容器本体２に取り付けられている。
【００１８】
天板部４１は、縦断面弓形に湾曲したドーム状に形成されている。この天板部４１には、天板部４１の中央を横断するように、キャップ径方向（前後方向）に延在する凹部４３が形成されている。この凹部４３のうちの一端側（前面側）の半分は、前半凹部４４となっており、他端側（後面側）の残りの半分は、前半凹部４４よりも深く凹んだ後半凹部４５となっている。
【００１９】
前半凹部４４は、対向配置された左右両側の側壁面４４ａ、４４ａと、側壁面４４ａ、４４ａ間に形成されキャップ軸Ｏの垂直面に沿って延在する底面４４ｂと、により形成された断面矩形の凹形状の溝である。底面４４ｂの平面視略中央部には、複数の貫通穴４７ａ…からなる振り出し口４７が形成されている。この振り出し口４７（貫通穴４７ａ…）が内筒部４２の内部空間に開放されている。また、底面４４ｂには、振り出し口４７を囲う立上げ部４４ｃが凸設されている。この立上げ部４４ｃの上面は、前面側に向うに従い下方へ向けて緩やかに傾斜した湾曲形状になっている。この立上げ部４４ｃの平面視略中央部には、キャップ軸Ｏ方向に延在する穴状の被係合部（以下、被係合穴４６と記す。）が形成されている。この被係合穴４６は、キャップ軸Ｏ方向に延在する円形穴であり、その内側には上記振り出し口４７が形成されている。また、立上げ部４４ｃの側面は、前半凹部４４の側壁面４４ａに間隔を置いて対向配置されており、立上げ部４４ｃの側面と前半凹部４４の側壁面４４ａとの間には、隙間が形成されている。また、前半凹部４４の前面側は、外筒部４０の前面側の外周面に開口されており、前半凹部４４の後面側は、後述する後半凹部４５に連通されている。
【００２０】
また、後半凹部４５は、対向配置された側壁面４５ａ、４５ａと、側壁面４５ａ、４５ａ間に設けられているとともに前半凹部４４の立上げ部４４ｃの上面から下方側に延在された垂れ壁面４５ｂと、側壁面４５ａ、４５ａ間に設けられているとともに垂れ壁面４５ｂの下端から斜めに延在された傾斜面４５ｃと、側壁面４５ａ、４５ａ間に設けられているとともに傾斜面４５ｃからキャップ径方向に延在された底面４５ｄとによって形成されている。そして、上記側壁面４５ａ、４５ａには、後述する回転軸５０，５０を軸支する凹状の軸受け部４８，４８が形成されている。なお、後半凹部４５の後面側は、外筒部４０の後面側の外周面に開口されている。
【００２１】
内筒部４２は、外筒部４０よりも径が小さい略円筒形状の部位であり、外筒部４０の内側に設けられている。この内筒部４２は、外筒部４０と同軸に配設されており、キャップ軸Ｏに沿って延在されている。内筒部４２の下端面は、容器本体２の口部２０の上端面に当接されており、口部２０上に内筒部４２が支持された状態となっている。なお、内筒部４２が口部２０より小径であり、内筒部４２の下端部が口部２０の内側に嵌合された構成であってもよい。また、内筒部４２の下端部が、段状に形成され、口部２０の内側に嵌合されるとともに口部２０上に支持された構成であってもよい。
【００２２】
また、キャップ本体４の表面には、カバー７が嵌合される窪み４９，４９が形成されている。窪み４９，４９は、凹部４３に沿って延在するものであり、凹部４３の左右両側にそれぞれ形成されている。具体的に説明すると、窪み４９，４９は、天板部４１の表面から外筒部４０の後面側の外周面に亘って形成されている。窪み４９，４９の前面側の端部には、カバー７の後述する嵌合凸部７２，７２を嵌合させる嵌合穴３０，３０がそれぞれ形成されている。
【００２３】
［蓋体］
蓋体５は、振り出し口４７を開閉するためのものであり、上記した凹部４３の内側に配置されている。蓋体５は、回転軸５０、５０周りに回転可能な蓋本体部５１と、凹部４３に沿って進退移動可能な押圧部５２と、押圧部５２の進退移動に従って弾性変形可能な弾性部５３と、から構成されている。
【００２４】
蓋本体部５１は、その先端部（前面側の端部）が上昇するように回転して開けられる蓋である。蓋本体部５１は、閉じられた状態において、凹部４３の一端側（前面側）の内側に配置される。すなわち、閉位置の蓋本体部５１は、後半凹部４５の前面側の部分から前半凹部４４の前端部まで延在されている。蓋本体部５１は、円弧状に湾曲した蓋板部５１ａと、蓋板部５１ａの先端部の左右両側の側辺部からそれぞれ垂設された先端側の側壁部５１ｂ，５１ｂと、蓋板部５１ａの基端部（後面側の端部）の左右両側の側辺部からそれぞれ垂設された基端側の側壁部５１ｃ，５１ｃと、蓋板部５１ａの基端から垂設され左右両側の基端側の側壁部５１ｃ，５１ｃ間に設けられた端壁部５１ｄと、から構成されている。
【００２５】
蓋板部５１ａは、上記した前半凹部４４の立上り部４４ｃの上に被せるようにして閉じられ、振り出し口４７を閉塞する板部材である。蓋本体部５１が閉位置にある状態では、蓋板部５１ａは、その表面が天板部４１及び外筒部４０の表面に対してほぼ段差無く配置される。
【００２６】
また、先端側の側壁部５１ｂ，５１ｂは、蓋本体部５１が閉位置にある状態では、上記した前半凹部４４の側面４４ａと立上り部４４ｃの側面との間の隙間にそれぞれ差し込まれる。また、先端側の側壁部５１ｂ，５１ｂの基端側の端面には、後述する押圧部５２の当接面５２ｆが当接する被当接面５１ｅ，５１ｅ（当接部）が形成されている。この被当接面５１ｅ，５１ｅは、蓋本体部５１が閉位置にある状態において、凹部４３の一端側、つまり蓋本体部５１の先端側（前面側）へ向うに従い下方側へ向けて傾斜した平滑な傾斜面となっている。
【００２７】
基端側の側壁部５１ｃ，５１ｃは、上記した後半凹部４５の前面側の部分に配置されている。この基端側の側壁部５１ｃ，５１ｃの外側面には、回転軸５０がそれぞれ突設されている。すなわち、回転軸５０は、蓋本体部５１の基端部（後面側の端部）に設けられており、弾性部５３の近傍であって弾性部５３の上方の位置に配設されている。回転軸５０は、キャップ軸Ｏの垂直面に沿って延在する円柱形状のものであり、凹部４３の内側に形成された上記した軸受け部４８，４８に嵌め込まれて支持されている。
【００２８】
また、蓋板部５１ａの裏面には、円筒形状の係合筒５４が突設されている。この係合筒５４は、蓋本体部５１が閉じられた状態のときにキャップ本体４の被係合穴４６に対向する位置に配設されている。また、係合筒５４の外径は、キャップ本体４の被係合穴４６の内径とほぼ等しい。したがって、蓋本体部５１が閉じられると、被係合穴４６の中に係合筒５４が挿嵌され、係合筒５４と被係合穴４６とが係合される。一方、蓋本体部５１が開けられると、上記した係合筒５４は、キャップ軸Ｏ方向の上方に向けて立ち上がる蓋本体部５１とともに移動し、被係合穴４６内から引き抜かれる。
【００２９】
また、係合筒５４の内側には、蓋板部５１ａの裏面から突設された複数のピン５５…が配設されている。これらのピン５５…は、蓋本体部５１が閉じられたとき、振り出し口４７の貫通穴４７ａ…にそれぞれ挿入される。なお、このピン５５…に代えて栓を用いて、この栓を貫通穴４７ａ…に嵌合させ、貫通穴４７ａ…を閉塞させてもよい。また、蓋本体部５１が開けられると、各貫通穴４７ａ…内に挿入された複数のピン５５…は、キャップ軸Ｏ方向の上方に向けて立ち上がる蓋本体部５１とともに移動し、貫通穴４７ａ…内から引き抜かれる。
【００３０】
押圧部５２は、指等によりキャップ径方向内側へ向けて押圧されるものである。押圧部５２は、凹部４３の他端側（後面側）の内側に配置されている。すなわち、押圧部５２は、蓋本体部５１の後面側に配置され、上記した後半凹部４５の内側に収容されている。押圧部５２は、上壁部５２ａと、上壁部５２ａの左右両側の側辺部からそれぞれ垂設された側壁部５２ｂ，５２ｂと、上壁部５２ａのキャップ径方向外側（後面側）の端部から垂設され左右両側の側壁部５２ｂ，５２ｂ間に設けられた端壁部５２ｃと、左右両側の側壁部５２ｂ，５２ｂのキャップ径方向内側（前面側）の端部の上部から凹部４３の一端側（前面側）へ向けてそれぞれ延在された延在部５２ｄ，５２ｄと、から構成されている。
【００３１】
上壁部５２ａは、キャップ軸Ｏの垂直面に沿って形成された平滑な平板部である。
また、側壁部５２ｂ，５２ｂは、凹部４３に沿って前後方向に延在されており、側壁部５２ｂ，５２ｂの外側面は後半凹部４５の側壁面４５ａ、４５ａに対して摺動可能に当接されている。また、押圧部５２は、後半凹部４５の底面４４ｂ上に載置されており、側壁部５２ｂ，５２ｂの下端面は、底面４４ｂに対して摺動可能に当接されている。
端壁部５２ｃは、円弧状に湾曲された壁体であり、その外側面が外筒部４０の外周面と略面一になるように形成されている。この端壁部５２ｃの外側面は、外筒部４０の後面側から露出されており、指等で押圧される押圧面５２ｅとなっている。
【００３２】
延在部５２ｄは、凹部４３に沿って前後方向に延在した長尺の部材である。具体的に説明すると、延在部５２ｄは、側壁部５２ｂから凹部４３の一端側（前面側）に向けて張り出され、弾性部５３の側方、および蓋本体部５１の基端側の側壁部５１ｃ，５１ｃの下方をそれぞれ通って、前半凹部４４の側面４４ａと立上り部４４ｃの側面との間の隙間に挿入されている。なお、延在部５２ｄは、蓋本体部５１の基端側の側壁部５１ｃ、および弾性部５３の左右方向の端部に対してそれぞれ切り離されている。また、延在部５２ｄの基端は、延在部５２ｄをキャップ軸Ｏの垂直面に沿って回転させるヒンジになっており、延在部５２ｄは、成形時においては押圧部５２の側壁部５２ｂから左右方向の側方に向けて延在され、成形後に前記ヒンジ周りに回動させることで前面側に向けて延在される。これにより、蓋体５の成形が容易となる。
また、左右両側の延在部５２ｄ，５２ｄの先端には、上記した蓋本体部５１の被当接面５１ｅ，５１ｅに当接する当接面５２ｆ，５２ｆがそれぞれ形成されている。この当接面５２ｆは、凹部４３の一端側、つまり延在部５２ｄの先端側（前面側）へ向うに従い下方側へ向けて傾斜した平滑な傾斜面となっている。
【００３３】
弾性部５３は、略Ｕ字状に湾曲された板状の弾性部材であり、前後方向に弾性変形可能なものである。弾性部５３は、左右両側の延在部５２ｄ，５２ｄ間に配置されているとともに、蓋本体部５１と押圧部５２との間に介設されている。また、具体的に説明すると、弾性部５３の前面側の端部は、蓋本体部５１における回転軸５０よりも下方の部分、つまり、蓋本体部５１の端壁部５１ｄの下端に屈曲自在に連結されている。また、弾性部５３の後面側の端部は、押圧部５２の上壁部５２ａの前端部に連結されている。
【００３４】
［カバー］
カバー７は、キャップ本体４と一体に成形されるとともに、天板部４１に対して着脱可能に取り付けられる部材である。カバー７は、後半凹部４５に被せられるカバー本体部７０と、カバー本体部７０の後面側の端部の左右両側から下方へそれぞれ垂設された一対の板部７１，７１と、から構成されている。
【００３５】
カバー本体部７０は、湾曲した板状の部材である。このカバー本体部７０の左右両側の側端部は、天板部４１に形成された窪み４９，４９にそれぞれ嵌合されており、カバー本体部７０は、その表面が天板部４１の表面に対してほぼ段差無く配置されている。このとき、カバー本体部７０の左右両側の側端部の裏面には、矩形の嵌合凸部７２，７２がそれぞれ設けられており、この嵌合凸部７２，７２が、上記したキャップ本体４の嵌合穴３０，３０にそれぞれ嵌合されることで、カバー７がキャップ本体４に係合されている。また、カバー本体部７０の前面側の端部中央には、凹形状の切欠部７０ａが形成されており、この切欠部７０ａの内側に蓋本体部５１の基端部が配置されている。
【００３６】
板部７１，７１は、キャップ軸Ｏ方向へ延在する矩形板状の部材であり、左右両側の板部７１，７１は平行に延在されている。板部７１，７１は、外筒部４０に形成された窪み４９，４９にそれぞれ嵌合されており、その表面が外筒部４０の外周面に対してほぼ段差無く配置されている。また、一対の板部７１，７１は間隔をおいて配設されており、これら板部７１，７１間に押圧部５２の押圧面５２ｅが配置されている。また、板部７１，７１の下端は、屈曲自在のヒンジ部７１ａ，７１ａを介して外筒部４０に一体に連結されており、このヒンジ部７１ａ，７１ａを軸に板部７１，７１が回動することにより、板部７１，７１が、外筒部４０に形成された窪み４９，４９にそれぞれ嵌合される。また、板部７１，７１の上端は、屈曲自在のヒンジ部７１ｂ，７１ｂを介してカバー本体部７０に一体に連結されており、このヒンジ部７１ｂ，７１ｂを軸にカバー本体部７０が回動することにより、カバー本体部７０が後半凹部４５に被せられ、その左右両側の側端部が、天板部４１に形成された窪み４９，４９にそれぞれ嵌合される。
【００３７】
また、カバー本体部７０の裏面には、前後方向に延在する垂壁部７３が配置されている。この垂壁部７３は、押圧部５２の上方に配置され、その下端面が押圧部５２の上壁部５２ａに沿って延在されている。
【００３８】
［係止手段］
係止手段６は、上記したキャップ本体４に設けられた被係合穴４６と、蓋体５に設けられた係止筒５４と、から構成されている。
【００３９】
次に、上記した構成からなる振り出し容器用キャップ１の作用について説明する。
【００４０】
上記した振り出し容器用キャップ１では、蓋本体部５１を回転させて閉位置に配置し、上記した係止筒５４を被係合穴４６内に挿嵌させることで、蓋本体部５１が、図１、図２に示すように閉位置で保持される。これにより、振り出し口４７が蓋本体部５１によって閉塞される。
【００４１】
一方、蓋本体部５１を開ける際には、図７に示すように、押圧部５２をキャップ径方向内側へ押圧する。例えば、容器本体２を片手で握り、その握った手の人差し指で押圧部５２の押圧面５２ｅを押圧する。これにより、弾性部５３が撓むように弾性変形しながら押圧部５２は凹部４３に沿って蓋本体部５１に近接する方向（前面側）へ移動する。そして、押圧部５２の延在部５２ｄ，５２ｄに形成された当接面５２ｆ，５２ｆが、蓋本体部５１に形成された被当接面５１ｅ，５１ｅに当接し、さらにその被当接面５１ｅ，５１ｅを押圧しながら被当接面５１ｅ，５１ｅ上をそれぞれ摺動し、閉じられた状態の蓋本体部５１が、傾斜面である当接面５２ｆ，５２ｆ及び被当接面５１ｅ，５１ｅによって摺り上げられる。その結果、蓋本体部５１に設けられた係止筒５４が被係合穴４６から抜け出て係止が解除される。そして、係止が解除された後、弾性部５３の前面側へ向けた弾性付勢力により、蓋本体部５１が開位置方向へ回転軸５０周りに回転し、図３に示す開位置まで開けられる。
一方、蓋本体部５１を閉じる際には、蓋本体部５１を指等で閉位置の方向へ押圧する。これにより、係止筒５４が被係合穴４６内に嵌入されるとともに、押圧部５２が元の位置まで戻される。
【００４２】
上記した構成からなる振り出し容器用キャップ１によれば、押圧部５２をキャップ径方向内側へ押圧したとき、押圧部５２は、凹部４３によって案内され、キャップ軸Ｏ方向にぐらつくことなく凹部４３に沿って移動するため、蓋本体部５１を容易に開けることができ、使い易くなる。
また、仮に、延在部５２ｄの先端の当接面５２ｆが、係止筒５４と被係合穴４６との嵌合部分から離れた位置に形成されていると、その当接面５２ｆを蓋本体部５１の被当接面５１ｅに当接させて蓋本体部５１を摺り上げる際に大きな力を要するが、上記した構成からなる振り出し容器用キャップ１によれば、係止筒５４と被係合穴４６との嵌合部分の近傍に当接面５２ｆが配設されているため、小さい力で蓋本体部５１を摺り上げることができ、操作が容易である。
【００４３】
特に、上記した構成からなる振り出し容器用キャップ１によれば、弾性部５３の前面側の端部が、蓋本体部５１における回転軸５０よりも下方の部分に連結されており、押圧部５２を押圧して係止筒５４と被係合穴４６との係止を解除した後、弾性部５３による弾性付勢力により蓋本体部５１が開けられるため、使い易さがより一層向上させることができる。
【００４４】
また、上記した構成からなる振り出し容器用キャップ１によれば、キャップ本体４に、凹部４３の後面側の部分に被せるカバー７が取り付けられているため、当該カバー７が凹部４３を覆うことになる。これにより、振り出し容器用キャップ１のデザイン性が向上し、外観に優れたものになるとともに、凹部４３内に塵や埃等が入り難くなる。
また、上記カバー７によって押圧部５２が覆われるため、カバー７が蓋体５の抜け止めとなり、蓋体５が凹部４３内から抜け出ることが防止される。これにより、壊れ難い振り出し容器用キャップ１を実現することができる。
さらに、カバー７によって押圧部５２の上方が塞がれることで、押圧部５２の押圧面５２ｅだけが露出されることになるので、押圧方向を明確にすることができ、押圧部５２が正確な方向へ確実に押圧される。これにより、振り出し容器用キャップ１の操作性が一層向上し、より使い易くすることができる。
【００４５】
以上、本発明に係る振り出し容器用キャップの実施の形態について説明したが、本発明は上記した実施の形態に限定されるものではなく、その趣旨を逸脱しない範囲で適宜変更可能である。
例えば、上記した実施の形態では、振り出し容器用キャップ１の上部がドーム形状になっているが、本発明はこれに限定されるものではなく、振り出し容器用キャップの上端が平面形状或いはその他の形状のものであってもよい。
【００４６】
また、上記した実施の形態では、振り出し容器用キャップ１が略円筒形状を成しているが、本発明はこれに限定されるものではなく、例えば、角筒形状の振り出し容器用キャップであってもよく、その他の形状の振り出し容器用キャップであってもよい。
【００４７】
また、上記した実施の形態では、被係合穴４６内に係止筒５４を挿嵌させることで係止される係止手段６が用いられているが、本発明はこれに限定されるものではなく、係止部及び被係止部の構成は適宜変更可能である。例えば、キャップ本体に形成された凹状の被係止部に鉤状の係止部を引っ掛ける構成の係止手段であってもよく、或いは、キャップ本体４に、上端にフランジが形成された被係止部が突設され、この被係止部のフランジに鉤状の係止部を引っ掛ける構成の係止手段であってもよい。さらに、蓋本体部５１の閉位置において、蓋本体部５１が閉方向に付勢される構成とすることによって、係合筒５４と被係合穴４６からなる係止手段を設けない構成を採用することも可能である。
【００４８】
また、上記した実施の形態では、複数の貫通穴４７ａ…からなる振り出し口４７が天板部４１の前面側の位置に形成されているが、本発明はこれに限定されるものではなく、振り出し口の位置や形状は適宜変更可能である。例えば、天板部４１の中央位置に振り出し口を形成することも可能であり、また、長穴形状の振り出し口であってもよい。
【００４９】
また、上記した実施の形態では、キャップ本体４とカバー７とが一体成形された構成となっているが、本発明は、キャップ本体とカバーとがそれぞれが別々に成形される別パーツであってもよい。キャップ本体とカバーとを別パーツ化することにより、互いに異なる材質のものを簡単に形成することができる。例えば、互いに色の異なるキャップ本体とカバーとを簡単に形成することができ、二色化を簡単に実現することができる。
【００５０】
また、上記した実施の形態では、蓋体５を構成する蓋本体部５１と弾性部５３と押圧部５２とが一体成形された構成になっているが、本発明は、蓋体５を構成するこれらの部材５１〜５３のうちの少なくとも１つが別に成形される別パーツであってもよい。
【００５１】
また、上記した実施の形態では、略Ｕ字状に湾曲された板状の弾性部５３が用いられているが、本発明は、これに限定されるものではなく、弾性部は、押圧部の進退移動に従って弾性変形するものであれば、その構成は適宜変更可能である。例えば、コイルバネ状の弾性部であってもよい。
【００５２】
さらに、本発明は、上記カバー７が備えられていない構成にすることも可能である。例えば、凹部の側壁面の上部に、凹部の内方側に突出したフランジが形成され、このフランジによって押圧部の抜け止めする構成であってもよく、或いは、押圧部の側壁部と凹部の側壁面との間に、押圧部の移動を案内するガイドレールを介在させた構成であってもよい。
【００５３】
また、上記した実施の形態では、延在部５２ｄの先端に形成された当接面５２ｆ及び蓋本体部５１に形成された被当接面５１ｅがそれぞれ傾斜面になっており、これらの傾斜面（当接面５２ｆ及び被当接面５１ｅ）同士が互いに当接される構成になっているが、本発明は、延在部の当接部及び蓋本体部の被当接部のうちの何れか一方が、凹部の一端側へ向うに従いキャップ軸方向の容器本体側へ向けて傾斜した傾斜面となっていればよい。例えば、延在部の先端に上記した傾斜面からなる当接面が形成され、一方、蓋本体部の側壁部の端面は傾斜されてなく、蓋本体部の側壁部の隅角部（被当接部）が前記当接面に当接された構成であってもよい。また、蓋本体部の側壁部に上記した傾斜面からなる被当接面が形成され、一方、延在部の先端面が傾斜されてなく、延在部の先端の隅角部が前記被当接面に当接した構成であってもよい。
【００５４】
その他、本発明の主旨を逸脱しない範囲で、上記した実施の形態における構成要素を周知の構成要素に置き換えることは適宜可能であり、また、上記した変形例を適宜組み合わせてもよい。
【図面の簡単な説明】
【００５５】
【図１】本発明の実施の形態を説明するための斜視図である。
【図２】本発明の実施の形態を説明するための斜視図である。
【図３】本発明の実施の形態を説明するための斜視図である。
【図４】本発明の実施の形態を説明するための分解斜視図である。
【図５】本発明の実施の形態を説明するための平面図である。
【図６】本発明の実施の形態を説明するための断面図である。
【図７】本発明の実施の形態を説明するための蓋体の側面図である。
【符号の説明】
【００５６】
１  振り出し容器用キャップ
２  容器本体
４  キャップ本体
５  蓋体
６  係止手段
７  カバー
４１  天板部
４３  凹部
４７  振り出し口
５０  回転軸
５１  蓋本体部
５１ｅ  被当接面（被当接部）
５２  押圧部
５２ｄ  延在部
５２ｆ  当接面（当接部）
５３  弾性部
【図１】
2008273583.tif 000003
【図２】
2008273583.tif 000004
【図３】
2008273583.tif 000005
【図４】
2008273583.tif 000006
【図５】
2008273583.tif 000007
【図６】
2008273583.tif 000008
【図７】
2008273583.tif 000009